(57)【要約】【課題】遺体の保存効果が高く、安全に実施することができる遺体保存方法を得る。【解決手段】遺体１が収容された棺桶２内に、マイナスイオン発生機３から発生させたマイナスイオンを含む空気を、例えば配管４を介して供給する。【選択図】図１
2014050575.tif 000002
【特許請求の範囲】
【請求項１】
遺体が収容された棺桶内に、マイナスイオン発生機から発生させたマイナスイオンを含む空気を供給することを特徴とする遺体保存方法。
【請求項２】
遺体が収容される内部空間を有する箱状体からなり、この箱状体の一部に、前記内部空間と外部とを連通させる開口が形成されてなる棺桶と、
マイナスイオンを発生させ、発生させたマイナスイオンを含む空気を排出する排出口を有するマイナスイオン発生機と、
このマイナスイオン発生機の排出口と前記開口とを連通させる配管とを有することを特徴とする遺体の保存装置。
【請求項３】
請求項２に記載の遺体保存装置を構成するマイナスイオン供給装置であって、
マイナスイオンを発生させ、発生させたマイナスイオンを含む空気を排出する排出口を有するマイナスイオン発生機と、
一端がこのマイナスイオン発生機の前記排出口に接続され、他端に、前記棺桶の開口を取り囲む部分と接続するする接続部が形成された配管とを備えてなるマイナスイオン供給装置。
【請求項４】
前記マイナスイオンを含む空気中の水分の一部を除去するリムーバをさらに備えたことを特徴とする請求項３記載のマイナスイオン供給装置。
【発明の詳細な説明】
【技術分野】
【０００１】
本発明は、棺桶内に収容された遺体を保存する方法および、その方法を実施する遺体保存装置に関するものである。
【０００２】
また本発明は、上述のような遺体保存装置を構成するマイナスイオン供給装置に関するものである。
【背景技術】
【０００３】
通常、遺体は火葬や土葬に付されるまで棺桶に収容されるが、近年、特に都会部では、人口に対して斎場や葬儀場の数が少ないこともあって、棺桶に収容されてから火葬や土葬に付されるまでの時間が長くなりつつある。例えば都会部では、その時間が１０日以上に亘るような状況も認められる。
【０００４】
遺体は、大気中の窒素酸化物によって酸化し、酸化して腐敗が始まると異臭が生じ、また皮膚の黄変も発生する。このような現象は死後の時間経過に伴って進行するので、特に上述したような状況下では、皮膚の黄変や腐敗、またそれによる異臭発生等が大きな問題になることがある。
【０００５】
従来、遺体の腐敗等を防止するための方法としては、ドライアイスを用いる方法が広く適用されて来た。しかし、このドライアイスを用いる方法には、二酸化炭素発生による地球温暖化を促す等の問題が認められている。そこで、例えば特許文献１、２等に示されるように、強アルカリ性液等の特殊な液体を用いて腐敗を防止する方法も提案されている。
【先行技術文献】
【特許文献】
【０００６】
【特許文献１】特開２００１−７２５０１号公報
【特許文献２】特開２０１１−５１９６３号公報
【発明の概要】
【発明が解決しようとする課題】
【０００７】
しかし、上述の強アルカリ性液等を用いる方法は、作業者がその液体の取扱いに熟達していない場合に、あるいは不注意によって不慮の事故を招くこともある。
【０００８】
本発明は上記の事情に鑑みてなされたものであり、遺体の保存効果が高く、しかも安全に実施することができる遺体保存方法を提供することを目的とする。
【０００９】
また本発明は、そのような方法を実施するための遺体保存装置、並びにマイナスイオン供給装置を提供することを目的とする。
【課題を解決するための手段】
【００１０】
本発明による遺体保存方法は、遺体が収容された棺桶内に、マイナスイオン発生機から発生させたマイナスイオンを含む空気を供給することを特徴とするものである。
【００１１】
他方、本発明による遺体保存装置は、
遺体が収容される内部空間を有する箱状体からなり、この箱状体の一部に、前記内部空間と外部とを連通させる開口が形成されてなる棺桶と、
マイナスイオンを発生させ、発生させたマイナスイオンを含む空気を排出する排出口を有するマイナスイオン発生機と、
このマイナスイオン発生機の排出口と前記開口とを連通させる配管とを有することを特徴とするものである。
【００１２】
また本発明によるマイナスイオン供給装置は、上述した本発明による遺体保存装置を構成するものであって、
マイナスイオンを発生させ、発生させたマイナスイオンを含む空気を排出する排出口を有するマイナスイオン発生機と、
一端がこのマイナスイオン発生機の前記排出口に接続され、他端に、前記棺桶の開口を取り囲む部分と接続するする接続部が形成された配管とを備えてなるものである。
【００１３】
なお、上記のマイナスイオン供給装置においては、マイナスイオンを含む空気中の水分の一部を除去するリムーバがさらに設けられることが望ましい。
【発明の効果】
【００１４】
本発明者は、遺体にマイナスイオンを照射し続けると、体の皮膚細胞の表面にマイナスイオンの膜が生成され、それにより、大気中の窒素酸化物による皮膚細胞の酸化が防止され、ひいては腐敗が防止されることを見出した。また、枯れかかったバラの花にマイナスイオンを照射し続けると、２０時間前後でバラの花が生き返ることも確認した。このようにマイナスイオンの浸透力は極めて強く、それは植物に限らず動物の遺体に対しても同様であることを確認した。
【００１５】
なお表１に、マイナスイオンを含む空気による殺菌効果を測定した結果の一例を示す。この場合の試験条件および試験方法は下記の通りである。
【００１６】
試験条件：約１０５オーダーになるように調整した菌液２０ｍＬ（ミリ・リットル）をシャーレに分注し、高さ３０ｃｍの台の上に蓋を外して乗せ、時間毎に定量の菌液を採取した。また、操作はクリーンベンチ内で実施した。
【００１７】
試験方法：大腸菌についてはデソキシコーレイト寒天平板培養法、黄色ブドウ球菌については卵黄加マンニット食塩寒天平板培養法による。
【表１】
2014050575.tif 000003
【００１８】
この表１に示される通り、菌液中の大腸菌も黄色ブドウ球菌も、マイナスイオンを含む空気を受ける時間が長くなるほど、個数が減少することが明かである。
【００１９】
本発明の遺体保存方法は上記の新しい知見に基づいて、遺体が収容された棺桶内にマイナスイオン発生機から発生させたマイナスイオンを含む空気を供給するようにしたものであり、こうすることにより、遺体の酸化を抑制し、ひいてはその腐敗や黄変、腐敗による異臭発生を確実に防止することができる。
【００２０】
そしてマイナスイオンは、前述した強アルカリ性液等のように危険なものではないので、本発明による遺体保存方法は安全に実施され得るものとなる。
【００２１】
一方、本発明による遺体保存装置は、
遺体が収容される内部空間を有する箱状体からなり、この箱状体の一部に、前記内部空間と外部とを連通させる開口が形成されてなる棺桶と、
マイナスイオンを発生させ、発生させたマイナスイオンを含む空気を排出する排出口を有するマイナスイオン発生機と、
このマイナスイオン発生機の排出口と前記開口とを連通させる配管とを有するものであるから、上述した本発明による遺体保存方法を実施可能となる。
【００２２】
また、本発明によるマイナスイオン供給装置は、
マイナスイオンを発生させ、発生させたマイナスイオンを含む空気を排出する排出口を有するマイナスイオン発生機と、
一端がこのマイナスイオン発生機の前記排出口に接続され、他端に、前記棺桶の開口を取り囲む部分と接続するする接続部が形成された配管とを備えているので、上述した本発明による遺体保存装置を構成することができる。
【図面の簡単な説明】
【００２３】
【図１】本発明の一実施形態による遺体保存装置を示す斜視図
【図２】図１の遺体保存装置の一部を拡大して示す斜視図
【図３】図１の遺体保存装置に用いられたマイナスイオン発生機の構成を示す概略図
【発明を実施するための形態】
【００２４】
以下、図面を参照して本発明の実施形態を詳細に説明する。
【００２５】
図１は本発明の一実施形態による遺体保存装置を示す概略構成図である。この遺体保存装置は、遺体１が収容される内部空間を有する箱状体からなる棺桶２と、マイナスイオンを発生させ、発生させたマイナスイオンを含む空気を排出するマイナスイオン発生機３と、上記マイナスイオンを含む空気を流通させる配管４と、棺桶２に設けられて上記配管４が接続される接続金具５とを有している。配管４は一例として、ステンレス製の蛇腹状フレキシブル管から構成されており、自由に曲げて配管経路を設定可能となっている。
【００２６】
図２は棺桶２の、上記接続金具５が設けられた部分を示している。ここに示される通り、箱状体である棺桶２を構成する一つの縦壁２ａには、棺桶２の内部空間と外部とを連通させる開口２ｂが形成されている。この開口２ｂ内には中空管６が保持され、この中空管６の外端部に、例えばステンレス製のナット状接続金具５が回転自在に取り付けられている。それにより接続金具５は、開口２ｂを取り囲む状態となっている。一方、配管４の先端部には、先端に雄ネジが形成された接続部７が取り付けられている。
【００２７】
そこで、接続部７の雄ネジを接続金具５の中に収め、接続金具５を回転させることにより、配管４が接続金具５と螺合、連結される。こうすることにより、マイナスイオン発生機３のマイナスイオンを含む空気を排出する排出口（これについては後述する）と、棺桶２の開口２ｂとが連通することになる。
【００２８】
ここでマイナスイオン発生機３の基本的な構成を、図３を参照して説明する。ここに示される通りマイナスイオン発生機３は、筐体１０と、その中に収められたタンク１１およびマイナスイオン発生部１２を有している。マイナスイオン発生部１２は、タンク１１内に貯えられた水Ｗを受け入れる水通路１３と、カートリッジ１４と、超音波振動子１５とを有している。カートリッジ１４は、一例として風化造礁サンゴを含むものであり、このサンゴの作用によりマイナスイオン空気を発生させる。
【００２９】
なおカートリッジ１４としては、水道水を厳選したアルカリ性にするためのサンゴ、殺菌のために硝酸銀を含浸させたサンゴ、および水分子をより小さくするためにサンゴを高温で焼成してセラミックボール状にしたものの３種類を容器に収容してなるものを用いるのがより好ましい。
【００３０】
またこのマイナスイオン発生機３においては特に、マイナスイオンを含む空気から、プラスに帯電した大きな水滴を除去するリムーバ１６が設けられている。本例では、このリムーバ１６の先端（図中の上端）が、マイナスイオンを含む空気を排出する排出口となっており、配管４の一端がこの排出口に接続される。そしてこの配管４の他端は、前述した通り、棺桶２の接続金具５と連結されるようになっている。なお図３では、水あるいは水滴が流通する経路を矢印で示してある。
【００３１】
上記構成のマイナスイオン発生機３においては、タンク１１内から水通路１３を介してマイナスイオン発生部１２内に供給された水Ｗが、カートリッジ１４のサンゴの作用により制菌・殺菌されるとともに、水のクラスターがより小さくされる。そしてこのカートリッジ１４を通過した水Ｗは、マイナスイオン発生原理であるレナード効果を応用した超音波振動子１５により細かく破砕された上で、空気と共にリムーバ１６から配管４内に放出される。この空気には、サンゴおよび超音波振動子１５の作用で発生したマイナスイオンが多量（例えば１５０００〜２３０００個／ｃｃ程度）に含まれる。
【００３２】
以上の通りにして発生したマイナスイオンを含む空気は、配管４および開口２ｂを介して、棺桶２の内部空間に供給される。こうしてマイナスイオンを含む空気が棺桶２内に供給されると、その中に収容されている遺体１の酸化が防止され、ひいては遺体１が腐敗したり、その皮膚が黄変したりすることが確実に防止される。その詳しい理由は先に述べた通りである。なお本実施形態では、この配管４とマイナスイオン発生機３により、本発明のマイナスイオン供給装置が構成されている。
【００３３】
なお、遺体１を棺桶２に入れる際、棺桶２の中に珊瑚粉末を満遍なく振りかけてから遺体を入れることが望ましい。珊瑚粉末は強アルカリであるので、このようにすると、上述のように供給されるマイナスイオンや、あるいは場合によって振り掛けられるドライアイスが触れることが無い棺桶床面（遺体１との接触面）をアルカリ性に保つことができ、遺体１の腐敗を防ぐ効果が一段と高くなる。
【００３４】
ここで本実施形態においては、リムーバ１６が設けられているため、棺桶２内に供給されるマイナスイオンを含む空気に、過度に水分が含まれることを防止できる。この空気は、遺体１の表面を瑞々しく保つためにある程度の水分を含むことが望まれるが、過度に水分を含んでいると、棺桶２内でカビが発生する等の問題を生じることもある。リムーバ１６が設けられていれば、そのような問題が生じることを回避可能となる。リムーバ１６を経た後の空気の好ましい水分含有量は、例えば１５ｃｃ程度である。また、マイナスイオン発生機３における好ましい水供給量は、例えば７ｃｃ程度である。
【符号の説明】
【００３５】
１    遺体
２    棺桶
２ａ  棺桶の縦壁
２ｂ  棺桶の開口
３    マイナスイオン発生機
４    配管
５    接続金具
７    配管の接続部
１１  タンク
１２  マイナスイオン発生部
１４  カートリッジ
１５  超音波振動子
１６  リムーバ
【図１】
2014050575.tif 000004
【図２】
2014050575.tif 000005
【図３】
2014050575.tif 000006